(57)【特許請求の範囲】
【請求項１】
把持部の一端に回転自在に支持されたローラを配するとともに、外周面を人体との接触面とした上記ローラに振動を与える振動発生部を備えているマッサージ機において、回転駆動される偏心分銅で形成された振動発生部を内蔵しているヘッドを把持部の一端に備えて、上記振動発生部による振動が付与される外周面が肌に当てる面とされている上記ヘッドの上記外周面の一部にローラが配設されており、該ローラの回転軸は上記偏心分銅の回転軸に非平行となっているとともに、偏心分銅の回転軸から外周方向に離れたところに位置していることを特徴とするマッサージ機。
【請求項２】
ローラはその軸方向において複数個に分割形成されていることを特徴とする請求項１記載のマッサージ機。
【請求項３】
ローラはヘッドに対して着脱自在であるとともに異種のものが用意されていることを特徴とする請求項１または２記載のマッサージ機。
【請求項４】
ローラの支持軸が可撓性を有していることを特徴とする請求項１記載のマッサージ機。
【請求項５】
ローラの回転軸方向が可変とされていることを特徴とする請求項１記載のマッサージ機。
【請求項６】
ローラの回転ロック手段を備えていることを特徴とする請求項１記載のマッサージ機。
【請求項７】
ローラは球状であることを特徴とする請求項１記載のマッサージ機。
【請求項８】
ローラはその縁が角ばったものであることを特徴とする請求項１記載のマッサージ機。
【請求項９】
把持部に対してヘッドが回転自在であって、該ヘッドの回転で把持部に対するローラの向きが可変とされていることを特徴とする請求項１記載のマッサージ機。
【請求項１０】
複数のローラの外周面で滑らかな山谷が形成されていることを特徴とする請求項２記載のマッサージ機。
【請求項１１】
各ローラの個別回転ロック手段を備えていることを特徴とする請求項２記載のマッサージ機。
【請求項１２】
異なった形状のローラが配されていることを特徴とする請求項２または３記載のマッサージ機。
【請求項１３】
異なった硬さのローラが配されていることを特徴とする請求項２または３記載のマッサージ機。
【請求項１４】
ヘッド側に設けたフックでローラの軸部が支持されていることを特徴とする請求項３記載のマッサージ機。
【請求項１５】
ヘッド側に設けた軸でローラが支持されていることを特徴とする請求項３記載のマッサージ機。
【請求項１６】
ローラは肌に当てた時にローラにかかる負荷方向と逆方向に取り外し自在となっていることを特徴とする請求項１または３記載のマッサージ機。
【請求項１７】
ローラは軸の球状になった先端を支持用凹部に当接させるとともに軸の外周面を可撓性材を介して支持用凹部に当接させていることを特徴とする請求項３または１６記載のマッサージ機。
【請求項１８】
ヘッドはローラの配設部分の下方部が開放されたものであることを特徴とする請求項３または１６記載のマッサージ機。
【請求項１９】
ローラは軸方向長さが手の平の幅にほぼ一致するものであるとともに軸方向において４列の凸部を備えていることを特徴とする請求項１記載のマッサージ機
【発明の詳細な説明】
【０００１】
【発明の属する技術分野】
本発明は人体表面に転接させるローラに振動を与えることでマッサージを行う手持ち型のマッサージ機に関するものである。
【０００２】
【従来の技術】
把持部の一端に回転自在に支持されたローラを配するとともに、外周面を人体との接触面とした上記ローラに振動を与える振動発生部を備えているマッサージ機がある。実開平５−８４３２８号公報などに示されたこの種のマッサージ機では、人体表面にローラを接触させた状態でローラを転がしつつ振動をローラに与えることでマッサージを行い、血行を促進させたりする。
【０００３】
【発明が解決しようとする課題】
このものでは、ローラを転がしてマッサージする場合には、確かに使い勝手もよく、また心地良いマッサージを得られるのであるが、ローラを人体の一点に接触させて転がすことなく振動マッサージを行いたいという要求に対しては、振動に伴ってローラが転がることで人体に与えてしまう振動が少なくなってしまうために、良好なマッサージを得ることができない。
【０００４】
また、上記公報に示されたものでは、モータで回転駆動される偏心分銅で構成された振動発生部がローラの内部に配されているとともに、ローラの回転軸と偏心分銅の回転軸とが一致する状態で配されているのであるが、ローラを転がす方向を反転させながら転がした時、偏心分銅の回転方向とローラの移動方向との関係で、ローラを介して人体に伝えられる振動にむらが生じてしまい、良好なマッサージ効果を得ることができない。
【０００５】
本発明はこのような点に鑑み為されたものであり、その目的とするところはローラを転がしながらの振動マッサージのほか、転がらない部分を通じての振動マッサージも効果的に得ることができるマッサージ機を提供するにあり、他の目的とするところは、ローラを介した振動マッサージをより効果的に得ることができるマッサージ機を提供するにある。
【０００６】
【課題を解決するための手段】
しかして本発明は、把持部の一端に回転自在に支持されたローラを配するとともに、外周面を人体との接触面とした上記ローラに振動を与える振動発生部を備えているマッサージ機において、回転駆動される偏心分銅で形成された振動発生部を内蔵しているヘッドを把持部の一端に備えて、上記振動発生部による振動が付与される外周面が肌に当てる面とされている上記ヘッドの上記外周面の一部にローラが配設されており、該ローラの回転軸は上記偏心分銅の回転軸に非平行となっているとともに、偏心分銅の回転軸から外周方向に離れたところに位置していることに特徴を有している。ローラを肌に当てた状態での振動マッサージと、ヘッドの外面を直接肌に当てた状態での振動マッサージとを選ぶことができるようにしたものであり、またヘッドへのローラの配置を上記のようにしていることから、ローラを利用した振動マッサージを効果的に行うことができるものである。
【０００７】
上記ローラはその軸方向において複数個に分割形成されていてもよく、ローラがヘッドに対して着脱自在であって異種のものに交換することができるようにしていてもよい。
【０００８】
ローラの支持軸が可撓性を有していたり、ローラの回転軸方向を可変としていたり、ローラの回転ロック手段を設けたものであってもよい。さらにローラが球状であったり、その縁が角ばったものであってもよい。把持部に対してヘッドを回転自在として、該ヘッドの回転で把持部に対するローラの向きを可変とすることも好ましい。
【０００９】
ローラを軸方向に分割形成する場合、複数のローラの外周面で滑らかな山谷が形成されるようにしたり、各ローラの個別回転ロック手段を設けたりしてもよい。
ローラが複数個に分割されていたり、異種のものに交換自在となっている場合、異なった形状のローラや異なった硬さのローラを用いることができるようにしておくことが望ましい。
【００１０】
ローラの着脱交換は、ヘッド側に設けたフックでローラの軸部を支持する構造としておくことが簡単で良いが、ヘッド側に設けた軸でローラを支持する構造であってもよい。
ローラを着脱自在とするにあたっては、ローラを肌に当てた時にローラにかかる負荷方向と逆方向に取り外しができるようにしておくことが望ましい。またこのようにローラを着脱自在としたものでは、軸の球状になった先端を支持用凹部に当接させるとともに軸の外周面を可撓性材を介して支持用凹部に当接させることでローラの支持を行うことが好ましく、さらにヘッドにおけるローラの配設部分の下方部を開放しておくことが好ましい。
【００１１】
ローラについては軸方向長さが手の平の幅にほぼ一致し且つ軸方向において４列の凸部を外周面に備えたものとしておくことが望ましい。
【００１２】
【発明の実施の形態】
本発明の実施の形態の一例について説明すると、棒状で且つ先端側が緩やかに屈曲しているとともに把持部１の先端には連結部３を介して円盤状のヘッド２が設けられている。また把持部１の一端からは電源コード９が導出され、把持部１の表面にはスイッチ１０が配されている。
【００１３】
上記連結部３は、把持部１に対してその軸回りにヘッド２を回転自在としている回転連結部３０と軟質合成樹脂より形成されて可撓性を有している可撓性部３６とからなるもので、回転連結部３０は図２(b)に示すように把持部１先端から突出している筒軸３１の外面にヘッド２側の回転カバー３２を被せて回転自在としたものであり、ストッパー３３によって回転範囲が３６０°以内とされているこの回転連結部３０では、ばね付勢されたボール３４とこのボール３４が嵌まる凹部３５とによって所定回転角度毎にクリックが生じるようにされている。
【００１４】
ヘッド２に内蔵された振動発生部４はモータ４０とモータ４０の出力軸に取り付けられた偏心分銅４１とからなるもので、モータ４０による偏心分銅４１の回転でヘッド２は振動する。図中４２はモータ４０の重量に対するバランサーである。そして円盤状となっているヘッド２の外周にはローラ５がその軸回りに回転自在となるように配されている。
【００１５】
図３から明らかなように、ヘッド２のハウジングと一体に形成されたフック２１によって中央の軸部５０が保持されることで回転自在となっているローラ５は、軸方向において分割された２つが、上記フック２１の両側に位置するものとなっているとともに、フック２１に対する軸部５０の着脱によって、図３に示すように、複数種のローラ５を交換使用することができるものとなっている。ちなみに図３に示している３種のローラ５は、１つが外周面に凹凸部が設けられた円筒ローラ型、他の１つが球状、残る１つが外周面に凹凸部が設けられた鼓型であり、形状が違っているわけであるが、この他、硬さの異なる複数種のローラ５を使い分けることができるようにしておいてもよい。また、鼓型のような山谷形状を有するものにおいて、図４に示すように、分割されたローラ５が全体として山谷形状の鼓型をなすようになっていてもよい。このような山谷形状のものは、このローラ５を肌に押し付けた時、山部で押さえられた皮膚が谷部で絞られることになって、マッサージ効果の高いものとなる。特に図示例のように端縁が角ばったものにおいては、ポイントマッサージを得られることになる。
【００１６】
ここにおいて、振動発生部４の偏心分銅４１の回転中心、つまりモータ４０の回転軸は、円盤状のヘッド２の中心軸と一致しており、偏心分銅４１の回転によってヘッド２はその軸回りに振り回される振動が生じる。従って、ヘッド２の外周面を肌に当てることによって振動マッサージを得ることができる。また、ヘッド２の外周部に配されたローラ５を肌に当てて転がしつつ偏心分銅４１を回転させて振動を発生させたならば、ローラ５を介して肌に振動マッサージを与えることができる。
【００１７】
なお、把持部１が屈曲している関係上、ローラ５を肌に当てる時とヘッド２の外周を肌に当てる時とでは持ち方を変えなくてはならないが、上記回転連結部３０において、把持部１に対してヘッド２を回転させることによって、持ち方を変えなくてもローラ５もしくはヘッド２外周のいずれかを肌に当てることができる。
【００１８】
ここにおいて、ローラ５の回転軸と偏心分銅４１の回転軸とが直交関係にあるとともに、偏心分銅４１の回転軸から離れたところにローラ５の回転軸が位置して両回転軸が互いに交わることがないようになっているわけであるが、これは、次の理由による。
すなわち、上記両回転軸が平行である場合、ローラ５を肌に添わせて転がすことを繰り返している時、その移動方向と偏心分銅４１の回転方向とが一致したり一致しなかったりすることになり、結果的に偏心分銅４１の回転による振動を打ち消すことになる時が生じてしまうものであり、これ故にローラ５を介して人体に伝える振動に、むらが生じてしまう。これに対して、上記両回転軸を直交関係としておくと、上記のような事態を招くことがなく、均一なマッサージを行うことができるものである。
【００１９】
また、ローラ５の内部に偏心分銅４１が配されているとともにその回転軸とローラ５の回転軸とが互いに交わるような配置関係になっている場合、ローラ５の支持の関係上、ローラ５はその軸方向両端部と中央部とでどうしても振動振幅が異なって、全体としての振動エネルギーが小さくなってしまうのであるが、偏心分銅４１を内蔵したヘッド２の外周にローラ５があり、偏心分銅４１の回転軸から離れたところにローラ５の回転軸が位置して両回転軸が互いに交わることがない場合、ローラ５はその回転軸を含めて全体がほぼ同一の振動を行うものであり、ローラ５を介して人体に伝える振動エネルギーを大きく保つことができるものであり、実際に体感上においても、より好ましい振動マッサージを得ることができたものである。
【００２０】
図５及び図６に他例を示す。これはローラ５の軸部５０を保持するフック２１をヘッド２のハウジングとは別部材で形成するとともに、フック２１に設けた軸部２２をハウジングで回転自在に支持することで、ローラ５の回転軸方向を可変としたものである。ローラ５の回転軸方向を変えることで、把持部１を握った状態でローラ５を肌に添わせて転がすという動作を常に円滑に行うことができるものとなっている。
【００２１】
図７に別の例を示す。これは先端に抜け止め部２５を備えた軸２４をヘッド２側に設けて、軸孔を有するローラ５を軸２４に着脱自在に装着することで、ローラ５を回転自在としたものを示している。この場合、一対の軸２４，２４に対して夫々ローラ５，５を装着する時、両ローラ５，５に異なる形状や硬さのものを用いることが可能である。また、軸２４に可撓性を持たせておくならば、ローラ５が硬目のものであっても、図８に示すように、肌にローラ５を当てた時に軸２４の撓みで肌にローラ５を添わせることができる。
【００２２】
図９〜図１２に別の例を示す。これは、一対のローラ５，５の各軸部５０，５０を個別に回転自在に保持するとともに、各軸部５０の先端に設けた切り欠き５１にストッパー２８を当てることによって、ローラ５の回転ロックを行えるようにしたものである。ローラ５が回転しない方が良い場合には、ストッパー２８によってローラ５を固定してしまうことができるようにしているわけであり、特に図示例のものでは、２つのローラ５，５の個別ロックを行えるようにしていることから、いずれか一方のローラ５の回転のみを止めるということが可能となっている。なお、ストッパー２８の不用意な動きを避けるために、ヘッド２におけるストッパー２８の作動ガイド溝の内面とストッパー２８の外面とには、ローラ５の回転を自由としている位置と回転ロック位置とにおいて、凹凸係合による位置決め係止部２９を設けている。
【００２３】
ローラ５が軸方向において複数に分割された例を示したが、図１３に示すように分割されていないものであってもよい。図１４以下にこの場合の具体例を示す。
ヘッド２に両端が支持されることで軸回りの回動が自在とされたローラ５は、全体として軸方向中央部が両端部より径が大きくなったものであるとともに、その外周面に突起５２が周方向に間隔をおいて並ぶ突起列が軸方向に複数（図示例では４列）設けられたもので、その両端面には図１７及び図１８にも示すように、ばね５５によって突出方向に付勢された軸５３が設けられており、更に軸５３を囲む部分にＯリング５４が配されている。
【００２４】
そしてヘッド２におけるローラ５が配される部分の両側壁の対向面には、図１５及び図１９に示すように側壁の先端面に至るはめ込み溝６０が形成されているとともに、はめ込み溝６０の奥部にはめ込み溝６０の長手方向と直交する方向に長い係止溝６１が設けられている。上記ローラ５はその両端の軸５３，５３を夫々はめ込み溝６０，６０の先端開口を通じてはめ込み溝６０，６０にはめ込むとともに、上記ばね５５，５５による付勢で図２０から明らかなように軸５３，５３の球状となっている先端を係止溝６１，６１に係止させる。この時、上記Ｏリング５４ははめ込み溝６０の内面に接触する。ローラ５の回転支持をロスのない適正な回転力が得られるようにすると同時に、可撓性を有するＯリング５４によって振動発生時におけるローラ５とヘッド２のハウジングとの当たり音の発生を防いでいるものである。ローラ５側に係止溝６１、ヘッド２のハウジング側に軸５３を設けてもよいのはもちろんである。
【００２５】
はめ込み溝６０をヘッド２のハウジングの両側壁の先端面にまで至るものとしているのは、ローラ５の着脱を容易とするためであり、特にローラ５を肌に押し当てる時にローラ５が受ける負荷の方向と逆方向にローラ５を外すことができるようにしているのは、ローラ５を肌に当てる時にローラ５が外れてしまうことがないようにすると同時に、ローラ５の着脱に要する力が少なくてすむようにするためである。ローラ５の保持力が小さくとも負荷方向が取り外し方向と逆であるためにローラ５を肌に当てる時にローラ５が外れてしまうことがなく、従ってローラ５の保持力を小さく設定することができるものである。この場合、回転するローラ５が髪の毛を巻き込んでしまっても、ローラ５に絡み付いてハウジングとローラ５との間に入った毛髪がローラ５を浮かしてヘッド２から外してしまうために安全である。前述のフック２１を用いたローラ５の装着についても、同様の理由で負荷方向と逆方向にローラ５を取り外すことができるようにしている。
【００２６】
ヘッド２のハウジングにおけるローラ５の配設部分の下方側を開放しているのも、図２１に示すように、この部分に指を差し入れてローラ５を起こすようにすることでローラ５の取り外しを行えるようにしているためであり、このようにしてローラ５の取り外しを行うことで取り外し作業が容易となっている。なお、ヘッド２の上面側がローラ５に被さるようにしてあるのは、このマッサージ機では回転する偏心分銅４１による振動方向と平行な面であるヘッド２の上面側を肌に接触させて振動マッサージを与えることもできるようにしているためである。またヘッド２におけるローラ５の配設部と逆の側の部分は、ポイントマッサージ用に先端をやや尖らせたマッサージ部２６としてあり、外周部の他の部分はマッサージ効果を高めるための突部２７を複数備えたものとしてある。
【００２７】
ローラ５の軸方向長さＬは、図２２に示す手の平の幅Ｗにあわせた５０〜８０ｍｍとしておくとよい。人の手で行うさすりマッサージ感に近いマッサージ効果を得られるからである。前述の複数の突起５２が周方向に並んでいる突起列を軸方向において４列設けているのも、突起列によるところの４つの凸部で４本の指の腹を模すことで人の手で行うさすりマッサージ感により近づけることができるようにするためである。
【００２８】
【発明の効果】
以上のように本発明においては、振動発生部を内蔵するとともに振動発生部による振動が付与される外周面が肌に当てる面とされているヘッドを把持部の一端に設けて、該ヘッドの上記外周面の一部にローラを配していることから、ローラを肌に沿って転がしつつ肌に振動マッサージを与えることと、肌の一か所をヘッドの外周部で押圧しつつ振動マッサージを与えることとを行えるものであり、状況に応じた振動マッサージの付与を行うことができる。
【００２９】
しかも、振動発生部が回転駆動される偏心分銅で形成され、ローラの回転軸は上記偏心分銅の回転軸に非平行となっているために、ローラを転がしつつ肌に振動を与える際にローラを転がす方向に拘わらず均一な振動マッサージを得ることができるものであり、また偏心分銅を内蔵したヘッドの外周にローラがあって偏心分銅の回転軸から離れたところにローラの回転軸が位置しているために、ローラの回転軸と偏心分銅の回転軸とが互いに交わることがなく、これ故にローラはその回転軸を含めて全体がほぼ同一の振動を行うためにローラを介して人体に伝える振動エネルギーを大きく保つことができるものであり、実際に体感上においても、より好ましい振動マッサージを得ることができるものである。
【００３０】
また、ローラがその軸方向において複数個に分割形成されているならば、腕や足のような表面の曲率半径が小さい部分についても、背中のような曲率半径が大きい部分についても、夫々むらのない振動マッサージを与えることができる。そしてローラがヘッドに対して着脱自在であって異種のものに交換することができるようになっていれば、症状やマッサージを与えたい部位に応じたマッサージを行うことができる。
【００３１】
ローラの支持軸が可撓性を有しているならば、肌に対するローラの当たり具合をローラの硬さを問わずに適切なものとすることができ、ローラの回転軸方向を可変としているならば、身体のどの部分に対してもローラを転がしてマッサージすることを容易に行うことができる。またローラの回転ロック手段を設けたものにおいては、ローラの回転が邪魔になるような場合においても問題が生じることがない。
【００３２】
さらにローラが球状である場合には、ポイントマッサージ効果をどのような角度でも得ることができ、その縁が角ばったものである場合には、高いポイントマッサージ効果を得ることができる。把持部に対してヘッドを回転自在として、該ヘッドの回転で把持部に対するローラの向きを可変としておく時には、ローラとヘッドの外周との使い分けの点で便利であって、把持部が屈曲したものにおいて特に便利である。
【００３３】
ローラを軸方向に分割形成する場合、複数のローラの外周面で滑らかな山谷が形成されるようにしておくと、山部分で押さえた皮膚が谷部で絞られることによるマッサージ効果も得ることができるものとなり、各ローラの個別回転ロック手段を設けると、回転するローラと回転しないローラとによるマッサージ効果を同時に得ることができる。
【００３４】
ローラが複数個に分割されていたり、異種のものに交換自在となっている場合、異なった形状のローラや異なった硬さのローラを用いることができるようにしておくことで、異なるマッサージ効果を容易に得ることができる。
加えるに、ヘッド側に設けたフックでローラの軸部を支持する構造としておくとローラの着脱交換を簡単に行うことができる。ヘッド側に設けた軸でローラを支持する構造の場合には、ローラのみで交換が可能であるのはもちろん、２個以上のローラの場合は異なる形状や硬さのローラの選択が可能となる。
【００３５】
ローラを着脱自在とするにあたっては、ローラを肌に当てた時にローラにかかる負荷方向と逆方向に取り外しができるようにしておくと、ローラの保持力が小さくともローラが負荷によって不用意に外れてしまうことがなく、これ故にローラの取り外しを軽く行うことができるものとすることができる。毛髪がローラに絡み付いた時などもローラが簡単に外れるために安全である。
【００３６】
またこのようにローラを着脱自在としたものでは、軸の球状になった先端を支持用凹部に当接させるとともに軸の外周面を可撓性材を介して支持用凹部に当接させることでローラの支持を行うと、適切な回転支持を行えると同時に、振動発生時におけるローラとヘッドのハウジングとの当たり音の発生を抑制することができる。
【００３７】
そしてヘッドにおけるローラの配設部分の下方部を開放しておくと、指でローラを起こすようにしてローラの取り外しを行うことができるために、ローラの取り外しが更に容易となる。
ローラについては軸方向長さを手の平の幅にほぼ一致するものとし、しかも軸方向において４列の凸部を外周面に備えたものとしておくと、人の手で行うさすりマッサージ感に近いマッサージ効果を得ることができる。
【図面の簡単な説明】
【図１】本発明の一例の斜視図である。
【図２】同上の断面を示すもので、(a)は縦断面図、(b)はＡ−Ａ線断面図である。
【図３】同上の分解斜視図である。
【図４】同上のローラの他例の正面図である。
【図５】別の例の分解斜視図である。
【図６】同上の動作を示すもので、(a)(b)は斜視図である。
【図７】他の例の分解斜視図である。
【図８】更に他例の概略平面図である。
【図９】異なる例の斜視図である。
【図１０】同上の分解斜視図である。
【図１１】同上のストッパーを示すもので、(a)は側面図、(b)は斜視図である。
【図１２】同上のストッパーと切り欠きの係合状態を示す側面図である。
【図１３】他例の斜視図である。
【図１４】同上の具体例におけるヘッドの破断平面図である。
【図１５】同上のヘッドの縦断面図である。
【図１６】同上のヘッドの底面図である。
【図１７】同上のローラを示しており、(a)は端面図、(b)は正面図である。
【図１８】同上のローラの縦断面図である。
【図１９】同上のローラを外したヘッドの斜視図である。
【図２０】同上のローラの回転支持部の拡大断面図である。
【図２１】同上のローラの取り外し操作を示す説明図である。
【図２２】手の平の幅の説明図である。
【符号の説明】
１  把持部
２  ヘッド
４  振動発生部
５  ローラ
４０  モータ
４１  偏心分銅
【図１】
0003648841.tif 000002
【図２】
0003648841.tif 000003
【図３】
0003648841.tif 000004
【図４】
0003648841.tif 000005
【図５】
0003648841.tif 000006
【図６】
0003648841.tif 000007
【図７】
0003648841.tif 000008
【図８】
0003648841.tif 000009
【図９】
0003648841.tif 000010
【図１０】
0003648841.tif 000011
【図１１】
0003648841.tif 000012
【図１２】
0003648841.tif 000013
【図１３】
0003648841.tif 000014
【図１４】
0003648841.tif 000015
【図１５】
0003648841.tif 000016
【図１６】
0003648841.tif 000017
【図１７】
0003648841.tif 000018
【図１８】
0003648841.tif 000019
【図１９】
0003648841.tif 000020
【図２０】
0003648841.tif 000021
【図２１】
0003648841.tif 000022
【図２２】
0003648841.tif 000023